(57)【要約】【課題】パチンコ球を発射部への供給するタイミングを常に一定に保つことが出来て弾球遊技機毎にバラツキがなく、しかも、突然の電圧降下によっても何ら支障なく打球動作が行なえる弾球遊技機を提供する。【解決手段】発射部２０へパチンコ球を供給する球送り装置２２と、弾発手段５２によって付勢され往復回動する打球槌４４と、駆動モータ４８と、駆動モータ４８のモータ軸４８ａに取着され、前記付勢に抗して打球槌４４を打撃位置から打撃準備位置まで回動させる回動手段５０，５４と、打球槌４４が打撃準備位置にあるとき、これを電気的に検出する槌検出器６２と、球送り装置２２に配置され、槌検出器６２によって打球槌４４が検出されることにより打球槌４４の往復回動のタイミングに合わせて発射部２０にパチンコ球を一個ずつ供給する電気的供給手段２９，３２と、を設けた。【選択図】  図３
2004242961.tif 000002
【特許請求の範囲】
【請求項１】
発射レールの発射部へパチンコ球を供給する球送り装置と、弾発手段によって前記発射部側へ付勢されかつ該発射部のパチンコ球を打つ打撃位置と後退して打撃準備をする打撃準備位置との間を往復回動する打球槌と、駆動モータと、前記駆動モータのモータ軸に取着され、前記弾発手段の付勢に抗して前記打球槌を前記打撃位置から前記打撃準備位置まで回動させる回動手段と、を備えてなる弾球遊技機であって、
前記打球槌が前記打撃準備位置にあるとき、これを電気的に検出する槌検出器と、前記球送り装置に配置され、前記槌検出器によって前記打球槌が検出されることにより前記打球槌の往復回動のタイミングに合わせて前記発射レールの発射部にパチンコ球を一個ずつ供給する電気的供給手段と、を設けたことを特徴とする弾球遊技機。
【発明の詳細な説明】
【０００１】
【発明の属する技術分野】
本発明は、発射レールの発射部へパチンコ球を供給する球送り装置と、駆動モータと、弾発手段によって前記発射部側へ付勢された状態で駆動モータのモータ軸に取着される回動手段により往復回動して前記発射レールの発射部に位置するパチンコ球を打撃する打球槌と、を備えた弾球遊技機に関するものである。
【０００２】
【従来の技術】
例えば、弾球遊技機の一種であるパチンコ遊技機は、発射レールの発射部へパチンコ球を一個づつ供給する球送り装置と、発射部のパチンコ球を打つ打撃位置と後退した打撃準備位置との間を往復回動すると共に弾発手段によって発射部側へ付勢される打球槌と、駆動モータと、前記駆動モータのモータ軸に取着され該モータ軸の回転運動を前記打球槌の往復運動に変換させるモータカムと、を備えている。そして、駆動モータの駆動と共にモータカムを回転させ、このモータカムを打球槌のローラアームに間歇的に係合させて打球槌を往復回動させている。一方、打球槌の往復回動動作に伴い該打球槌に設けられたハンドルロッドを球送り装置の整流器レバーに係合させ、この整流器レバーの往復動作により前記発射レールの発射部にパチンコ球を一個づつ供給し、そのパチンコ球を前記打球槌により打撃するようにしている（例えば、特許文献１参照。）。
また、他のパチンコ遊技機として、球送り装置内に球送りソレノイドと該球送りソレノイドの励磁・消磁動作に伴い回動して受け入れたパチンコ球を一個ずつ発射レールの発射部へ供給し、一方、打球槌をロータリーソレノイドの駆動軸に直結し、発射制御装置からの信号により前記球送りソレノイドとロータリーソレノイドとを制御して調整することにより発射レールの発射部に一個ずつ供給されるパチンコ球を打球槌により打撃するようにしたものがある（例えば、特許文献２）。
【０００３】
【特許文献１】
特開２０００−５３８７号公報（第２−３頁、図１）
【特許文献２】
特開平８−７１２１３号公報（第４−５頁、図３、図５）
【０００４】
【発明が解決しようとする課題】
前者のパチンコ遊技機にあっては、打球槌の往復回動に伴いハンドルロッドを整流器レバーに係合させることにより発射レールの発射部にパチンコ球を一個ずつ供給するなどこれらを機械的に連係させているので、例えば、ハンドルロッドと整流器レバーとの成形上の寸法誤差や取付時の寸法誤差などによって、パチンコ遊技機毎に発射部へパチンコ球を供給するタイミングにバラツキが生ずることとなり、これは好ましいことではない。
【０００５】
これに対し、後者のパチンコ遊技機にあっては、球送りソレノイドを励磁・消磁動作させて球送り部材を作動し、また、ロータリーソレノイドを励磁させて打球槌を回動させ、しかも、これらを発射制御装置からの信号により制御調整するようにしているので、前者の課題は解決されるものの、この場合、ロータリーソレノイドが打球槌に直結されているので、例えば、遊技ホールでの電力が一時的に大量に消費されたときなどに生ずる電圧降下が起きると、前記ロータリーソレノイドにもその影響が出て、一時的にパチンコ球の発射力が弱まり打球動作が不安定になるという課題がある。
【０００６】
そこで、本発明は上記課題に鑑みてなされたもので、パチンコ球の発射部へ供給するタイミングを常に一定に保つことが出来てパチンコ遊技機毎のバラツキをなくし、しかも、突然の電圧降下によっても何ら支障なく打球動作が行なえる弾球遊技機を提供することを目的とするものである。
【０００７】
【課題を解決するための手段】
かかる目的を達成するため、本発明の弾球遊技機は、発射レールの発射部へパチンコ球を供給する球送り装置と、弾発手段によって前記発射部側へ付勢されかつ該発射部のパチンコ球を打つ打撃位置と後退して打撃準備をする打撃準備位置との間を往復回動する打球槌と、駆動モータと、前記駆動モータのモータ軸に取着され、前記弾発手段の付勢に抗して前記打球槌を前記打撃位置から前記打撃準備位置まで回動させる回動手段と、を備えてなる弾球遊技機であって、前記打球槌が前記打撃準備位置にあるとき、これを電気的に検出する槌検出器と、前記球送り装置に配置され、前記槌検出器によって前記打球槌が検出されることにより前記打球槌の往復回動のタイミングに合わせて前記発射レールの発射部にパチンコ球を一個ずつ供給する電気的供給手段と、を設けた構成からなる。
【０００８】
このように、打球槌が打撃準備位置にあるとき、これを電気的に検出する槌検出器と、球送り装置に配置され、槌検出器によって打球槌が検出されることにより打球槌の往復回動のタイミングに合わせて発射レールの発射部にパチンコ球を一個ずつ供給する電気的供給手段を設けたので、打球槌の往復回動する動作と発射部へパチンコ球を供給する動作とのタイミングが取り易く、パチンコ遊技機毎のバラツキがなくなる。また、打球槌は常に弾発手段によってパチンコ球を打撃するので、突然電圧降下が起きても、駆動モータがカムを回転させるためにのみ働き少ないトルクで済むことから、打撃力に変化はなく、遊技にほとんど影響を受けることがない。
【０００９】
【発明の実施の形態】
以下、本発明に係る弾球遊技機の実施の形態を図面に基づき説明する。なお、弾球遊技機には、例えばパチンコ遊技機、アレンジボールまたは雀球遊技機が挙げられるが、本発明にあっては、その一例としてパチンコ遊技機について説明する。
【００１０】
図１は本発明が適用されるパチンコ遊技機の正面図、図２は同透明板保持枠、前面板、下部板を開いた状態の斜視図、図３は前面枠の下部部分を示す一部切欠正面図、図４は同側面断面図である。図において、１はパチンコ遊技機Ｐにおける木製の機枠であって、縦長方形枠状に形成されている。また、その前面に額縁状をなす合成樹脂製の前面枠２が、その一側上下部を前記機枠１の一側上下部に設けた軸支部３によって軸支され回動自在に装着される。この前面枠２の中央には窓口４が開設される。そして、前面枠２の裏面に遊技盤５が配置固定され、その前面の遊技部５ａが前記窓口４に臨むようになっている。
【００１１】
前記前面枠２の前側に、遊技盤５前面の遊技部５ａを覆う２枚の透明板であるガラス板６を備えた透明板保持枠７、遊技盤５の下部を覆う前面板８、その下側に位置する下部板９が、いずれもそれら一側を軸支して回動自在に装着されている。これら透明板保持枠７、前面板８及び下部板９は前面枠２とほぼ同じ横幅を有している。前記前面板８の前面に、貯留される弾球であるパチンコ球を後記する発射部２０に供給するための打球供給皿１０が装着されている。また、下部板９の前面には、前記打球供給皿１０から溢れるパチンコ球を貯留する余剰球受皿１１が装着されている。１２は、下部板９の前面一側に設けられ、打ち出されるパチンコ球の打球力の強弱を調節する操作ハンドルである。
【００１２】
前記装着された遊技盤５の前面には、遊技部５ａを囲うように内側ガイドレール１３と外側ガイドレール１４とが渦巻き状に配設される。前記遊技部５ａには、ほぼ中央に表示部１５ａを備えた可変表示装置１５が配置され、また、その下方にパチンコ球の入賞により前記表示部１５ａの文字、数字、図形等の表示を変動表示させる始動入賞口１６が配置される。更に、その下方に位置して前記変動した表示が一定の時間経過後に停止して特定の表示（例えば「７７７」）を示し、遊技者にとって有利な特別遊技状態になったとき、一定の条件の下で開閉扉１７ａを所定回数開成させ一度に多くの入賞球が得られる入賞装置１７など所謂盤面部品が配設されている。
【００１３】
前記前面枠２の前面であって、下部一側に、前記外側ガイドレール１４とファール球排出口１８を介して連なる発射レール１９と、該発射レール１９の発射部２０に供給されたパチンコ球を発射させるための発射装置２１と、が取り付けられる。一方、前面板８は、空間を隔てて前側板８ａと後側板８ｂとが平行に配置され、その空間内に前記打球供給皿１０からのパチンコ球を一個ずつ発射部２０へ供給する球送り装置２２が配置されている。なお、前記ファール球排出口１８は余剰球受皿１１に連通しており、発射されるも遊技部５ａに打ち込まれずに戻ってこのファール球排出口１８に落下したファール球は、余剰球受皿１１に導かれることになる。
【００１４】
図５、図６に示ように、球送り装置２２は前面板８の後側板８ｂの前面に取り付けられる取付板２３の前側であって、その中央上部に打球供給皿１０に貯留されるパチンコ球を順次受け入れる流入口２４が開設されると共にその内側に球送樋２５が設けられている。この球送樋２５の底面に球抜口２６が開設されており、この球抜口２６は常には摺動板２７によって塞がれている。そして、その流下端に球送樋２５の最先端のパチンコ球を一個ずつ受け入れ、該パチンコ球を取付板２３に開設された流出口２８から前記発射レール１９の発射部２０に供給する球送り部材２９が配置されている。なお、球送り装置２２の前面は開放されているが、この面は図４に示すようにほぼ同じ大きさの蓋板２２ａにより塞がれる。
【００１５】
球送り部材２９は、一側上部で軸３０により軸支され、他側には球送樋２５からのパチンコ球を一個受け入れる球受部３１が設けられている。また、球送り部材２９の上方にはこれに近接させてソレノイド３２が配置され、ソレノイド３２の励磁・消磁に伴い球送り部材２９上面の金属板３３が吸引されて該球送り部材２９が上下に揺動するようになっている。そして、ソレノイド３２が消磁して球送り部材２９が下動しているときは、球送樋２５内の最先のパチンコ球Ｂ１は球受部３１の上部に突設された球止片３１ａに止められて停止している。この状態で、ソレノイド３２が励磁して球送り部材２９が上動したときは、そのパチンコ球Ｂ１を球受部３１に受け入れる。この際、流出口２８が球送り部材２９によって狭められる関係上、前記パチンコ球Ｂ１が流出口２８から排出されることはない。また、このとき第二のパチンコ球Ｂ２は球受部３１の底壁３４の先端部に当接して停止している。次に、ソレノイド３２が消磁すると、球送り部材２９が下動し、これに伴い流出口２８が広がり、そこから前記パチンコ球Ｂ１が発射部２０へ排出されることになる。同時に、続く第二のパチンコ球Ｂ２は今度は前記球止片３１ａで一旦受け止められる。以後、同様な動作を繰り返すことによって、パチンコ球を一個ずつ発射部２０へ供給するようになっている。
【００１６】
前記球抜口２６の下側にこれと連通する玉抜樋３５が設けられ、その流下端に排出口３６が設けられる。この排出口３６は前記後側板８ｂに開設された球送口８ｃと連通し、更に、この球送口８ｃが前面枠２の下部前面に開設され余剰球受皿１１に連なる球入口２ａと連通している。そこで、球抜きされたパチンコ球は、球抜樋３５、排出口３６、球送口８ｃ等を介して余剰球受皿１１に貯留される。また、前記球抜口２６を塞ぐ摺動板２７は前記打球供給皿１０の一側上面に突出された球抜きボタン３７と連係し連動するようになっており、常に球抜口２６を塞ぐように付勢される。そして、図示は省略するが、前記球抜きボタン３７を押動することにより、摺動板２７が前方へスライドして球抜口２６を開放するようになっている。そこで、例えば、遊技者が遊技を終了して打球供給皿１０に残ったパチンコ球を抜く場合、前記球抜きボタン３７を押すことにより球抜口２６が開放し、打球供給皿１０のパチンコ球は余剰球受皿１１に貯留される。
【００１７】
前記流出口２８の後側、すなわち発射レール１９側に、そこから流出するパチンコ球をカウントするための球検出器３８が配置されている。この球検出器３８は対向する投光部３８ａと受光部３８ｂとを備え、その間を通過するパチンコ球を検出するようになっている。この球検出器３８は、１６個のパチンコ球を封入すると共にこれら１６個のパチンコ球を打って１ゲームとし、これらパチンコ球を循環させることにより何ゲームでも遊技できるようにした所謂アレンジボール機について使用されるものである。よって、通常のパチンコ遊技機にあっては、通電されず通過するパチンコ球を検出しないようになっている。
【００１８】
前記発射レール１９は、取付板３９の前面にレール本体４０と該レール本体４０の発射部２０にパチンコ球を位置決めする支持部材４１とを設けて構成され、図７に示すように前面枠２の前面の所定位置に螺子４２によって螺子止めすることにより取り付けられる。一方、発射装置２１は、図７乃至図１０に示すように取付板４３の前面に先端が前記発射レール１９の発射部２０に臨み、その発射部２０に位置するパチンコ球Ｂ３をレール本体４０に沿って打ち出すための打球槌４４が回動自在に軸装されている。４５は、前記打球槌４４の回動角度を規制するストッパ部材である。また、前記取付板４３の前面に、前記操作ハンドル１２のハンドル軸４６が挿通される軸筒部４７が設けられる。一方、取付板４３の裏面には、図９、図１０に示すように前記打球槌４４を往復回動させるための駆動モータ４８と、打球槌４４にバネ弾発力を付与するバネ枠体４９が設けられる。
【００１９】
駆動モータ４８のモータ軸４８ａは前方に突出しており、その先端部に回動手段としてのカム片５０が取着されている。前記バネ枠体４９は、前記打球槌４４の槌軸４４ａと一体に設けられかつ取付板４３の後方へ突出する槌軸４４ａの前後端側に配置される前・後側環状枠部５１ａ，５１ｂと、これら前・後側環状枠部５１ａ，５１ｂ間に介在し、先端部が前側環状枠部５１ａに止着され、また後端部が後側環状枠部５１ｂに止着されるコイルバネ５２と、から大略構成される。
【００２０】
前側環状枠部５１ａは、槌軸４４ａとは別個に該槌軸４４ａを中心として回動でき、その外周縁に円弧状の歯部５１ｃが設けられている。そして、その歯部５１ｃが取付板４３の後面の所定位置に突出した位置決め杆５９に当接し、それ以上回動できないようになっている。これにより、前側環状枠部５１ａは、設定した前記初期位置でのコイルバネ５２の弾発力を保持でき、そのコイルバネ５２の弾発力が弱まる方向へは無用に回動しないようになっている。一方、後側環状枠部５１ｂは、前記槌軸４４ａの後端部に固着されており、槌軸４４ａと一体に回動する。また、この後側環状枠５１ｂの一側に腕片５３が放射状に突設され、その先端部に駆動モータ４８の駆動により回転するカム片５０が間歇的に当接して係合する回動手段としてのピン５４が突設されている。
【００２１】
前記取付板４３の裏面下部には、複数の案内枠５５によりガイドされ、前記取付板４３の裏面に沿って水平方向へ自在に移動するラック５６が配設されている。一方、前記軸筒部４７内に、前記操作ハンドル１２のハンドル軸４６の後端部が挿通され、該ハンドル軸４６と一体に回動する回転筒５７が嵌合されている。このため、前記ハンドル軸４６は断面Ｄカットに処理されており、回転筒５７の内周面もほぼ同じ形状の断面Ｄ型に成形されている。そして、この回転筒５７の後端にピニオン５８が設けられており、該ピニオン５８が前記ラック５６の歯部５６ａの一端側に噛合している。また、歯部５６ａの他端側には、前記前側環状枠部５１ａに設けられた歯部５１ｃが中間歯車６０を介して噛合している。この発射装置２１も前面枠２の前面の所定位置に螺子６１によって螺子止めすることにより取り付けられる。
【００２２】
これにより前記発射レール１９と発射装置２１とが、同一平面上に取り付けられることになる。このように、前記発射レール１９と発射装置２１とが共に同一平面上に取り付けられるので、発射レール１９に対する打球槌４４の位置調整などが容易かつ正確に行なえ、引いては球飛び状態の調整が簡単となり、球飛び状態も安定する。
【００２３】
コイルバネ５２に捩り力が付与されている場合、前記打球槌４４は、コイルバネ５２の弾発力により発射部２０側へ回動付勢されるが、打撃位置でストッパ部材４５により停止される。また、その反作用として、前記前側環状枠部５１ａはその反対方向へ回動しようとするが、位置決め杆５９により所定位置で停止されている。前記操作ハンドル１２は、所謂タッチ式のものであり、遊技者が操作ハンドル１２を手で握ることにより前記駆動モータ４８が駆動する。これに伴い、カム片５０が回動してピン５４に間歇的に当接して係合し、図７鎖線に示すように打球槌４４を打撃位置から打撃準備位置まで回動させてその後係合が解かれる。その後は、打球槌４４がコイルバネ５２の弾発力により打撃位置まで回動復帰させられる。そして、打球槌４４先端の打球杆４４ｂによりレール本体４０の発射部２０に位置するパチンコ球Ｂ３を打球して発射させる。
【００２４】
このようにして、打球槌４４を打撃位置と打撃準備位置との間で往復回動させることによりパチンコ球を発射させることになる。また、打球力を調整するには、前記操作ハンドル１２を回動させることにより、ラック５６が移動して前記前側環状枠部５１ａが回動し、コイルバネ５２が弾発力に抗して更に捩じられ、その弾発力が増すようになっている。
【００２５】
本発明にあっては、前記発射装置２１の取付板４３前面の所定位置に、打球槌４４が発射準備位置にあるとき、これを電気的に検出する槌検出器６２が設けられている。この槌検出器６２は、図８に示すように投光部６３ａと受光部６３ｂを対向して配置したＵ字状を成し、その一側に支持突起６４が突設されている。取付板４３前面の所定位置には、前記槌検出器６２の一側が嵌合する支持凹部６５が設けられ、その奥端部に前記支持突起６４が嵌入する保持孔６５ａが設けられている。そして、支持突起６４を保持孔６５ａに嵌入すると共に槌検出器６２の一側を支持凹部６５に嵌合し、この状態でその前側からカバー体６６を嵌合し、カバー体６６に突設された取付片６７に開設された螺子挿通孔６８を介して取付板４３に設けられた螺子孔６９に螺子７０を螺子締する。これにより、投光部６３ａと受光部６３ｂとの間に打球槌４４が介入し得るようにして槌検出器６２が取り付けられる。
【００２６】
この槌検出器６２での検出信号は、図示しない制御装置に送られ、この制御装置により前記球送り装置２２におけるソレノイド３２の励磁・消磁とのタイミングが制御されるようになっている。すなわち、ソレノイド３２が消磁することにより球送り部材２９が作動してパチンコ球が発射部２０に一個ずつ供給されることから、励磁から消磁に変える時点が打球槌４４を打撃位置から打撃準備位置へ移動するときとほぼ同じになるように設定される。このように、電気信号で前記タイミングを採るようにしたので、その制御が非常に容易に行なえる。前記槌検出器６２には、投光部６３ａと受光部６３ｂとの間の本体部上面に打球槌４４が当接する弾性部材を貼り合せ、ストッパー部材の役目をさせるようにしても良い。
【００２７】
本発明は上記構成からなり、打球供給皿１０にパチンコ球を入れた状態では、ソレノイド３２が消磁しており球送り部材２９が下がっている。そして、その最先のパチンコ球は球送り部材２９の球止片３１ａ前面に当接して停止している。この状態で、操作ハンドル１２を手で握ると通電し、更に操作ハンドル１２を回動させると、ピニオン５８が回動してラック５６が図９鎖線の方向へ移動する。これに伴い、中間歯車６０を介し前側環状枠部５１ａが回転してコイルバネ５２の捩り力である弾発力が増大する。同時に、駆動モータ４８が駆動してカム片５０が回転しピン５４に間歇的に係合することとなり、打球槌４４が打撃位置から打撃準備位置との間を往復回動する。
【００２８】
そして、打球槌４４が発射準備位置にあるとき槌検出器６２により検出され、その信号が制御装置に送られる。これにより、ソレノイド３２が励磁され、球送り部材２９が吸引されて上動し球受部３１に最先のパチンコ球を受け入れる。次に、所定時間経過後、すなわち、打球槌４４が打撃位置から打撃準備位置へ移動するとき、ソレノイド３２が消磁して球受部３１のパチンコ球を流出口２８から発射部２０へ排出する。最後に、発射部２０に位置したパチンコ球を打球槌４４が打撃することになる。よって、最初の打球槌の往復回動時には、発射部２０にパチンコ球はなく所謂空打ちになる。
【００２９】
このように、発射部２０へパチンコ球を供給するタイミングが電気的に決められることから、球飛び状態が常に安定し良好となる。また、通常のパチンコ遊技機の場合、打球の個数は１分間に１００個と決められていが、アレンジボール機の場合、パチンコ球を１６個連続して打つて１ゲームが終了し、続いて２ゲーム目に進む場合もその間に２秒の休み時間が取られている。よって、この場合、前記パチンコ遊技機と同様に１分間に１００個のパチンコ球が打てるとすれば、それだけ駆動モータ４８のモータ軸４８ａの回転を速くする必要がある。例えば、パチンコ遊技機にあっては、前記のように１分間に１００個のパチンコ球が発射できることから、打球槌４４が０．６秒で一往復する。ところが、アレンジボール機の場合は、打球槌４４を０．４秒で一往復させることができる。これにより稼働率が向上することとなり、営業利益が上がる。
【００３０】
【発明の効果】
以上説明したように本発明は、弾発手段によって発射部側へ付勢される打球槌が打撃準備位置に位置したとき、これを電気的に検出する槌検出器を配設し、球送り装置には、槌検出器によって打球槌が検出されることにより打球槌の往復回動のタイミングに合わせて発射レールの発射部にパチンコ球を一個ずつ供給する電気的供給手段を設けたので、発射部へパチンコ球が供給されるタイミングを常に一定に保つことが出き、パチンコ遊技機毎にバラツキがなく、しかも、突然の電圧降下によっても何ら支障なく打球動作が行なえるという効果がある。
【図面の簡単な説明】
【図１】本発明が適用されるパチンコ遊技機の正面図。
【図２】同透明板保持枠、前面板、下部板を開いた状態の斜視図。
【図３】球送り装置と共に前面枠の下部部分を示す一部切欠正面図。
【図４】同側面断面図。
【図５】球送り装置の斜視図。
【図６】同正面図。
【図７】前面枠の下部部分を示す一部切欠正面図。
【図８】発射装置の分解斜視図。
【図９】発射装置の裏面図。
【図１０】同側面図。
１９                発射レール
２０                発射部
２２                球送り装置
２９                電気的供給手段（球送り部材）
３２                電気的供給手段（ソレノイド）
４４                打球槌
４８                駆動モータ
４８ａ              モータ軸
５０                回動手段（カム片）
５２                弾発手段（コイルバネ）
５４                回動手段（ピン）
６２                槌検出器
Ｂ１〜Ｂ３          パチンコ球
Ｐ                  弾球遊技機（パチンコ遊技機）
【図１】
2004242961.tif 000003
【図２】
2004242961.tif 000004
【図３】
2004242961.tif 000005
【図４】
2004242961.tif 000006
【図５】
2004242961.tif 000007
【図６】
2004242961.tif 000008
【図７】
2004242961.tif 000009
【図８】
2004242961.tif 000010
【図９】
2004242961.tif 000011
【図１０】
2004242961.tif 000012
【手続補正書】
【提出日】平成15年2月17日(2003.2.17)
【手続補正１】
【補正対象書類名】明細書
【補正対象項目名】図面の簡単な説明
【補正方法】変更
【補正の内容】
【図面の簡単な説明】
【図１】本発明が適用されるパチンコ遊技機の正面図。
【図２】同透明板保持枠、前面板、下部板を開いた状態の斜視図。
【図３】球送り装置と共に前面枠の下部部分を示す一部切欠正面図。
【図４】同側面断面図。
【図５】球送り装置の斜視図。
【図６】同正面図。
【図７】前面枠の下部部分を示す一部切欠正面図。
【図８】発射装置の分解斜視図。
【図９】発射装置の裏面図。
【図１０】同側面図。
【符号の説明】
１９                発射レール
２０                発射部
２２                球送り装置
２９                電気的供給手段（球送り部材）
３２                電気的供給手段（ソレノイド）
４４                打球槌
４８                駆動モータ
４８ａ              モータ軸
５０                回動手段（カム片）
５２                弾発手段（コイルバネ）
５４                回動手段（ピン）
６２                槌検出器
Ｂ１〜Ｂ３          パチンコ球
Ｐ                  弾球遊技機（パチンコ遊技機）